(57)【要約】【課題】  従来のエスカレーター用踏段清掃装置は、それを構成する装置の材料の特定がなく、実用面での問題を有していた。【解決手段】  このため本発明は、往路から復路にかけて移動する踏段３と、この踏段３への乗降口２を構成する床板２Ａと、この床板２Ａの先端部に固定されて前記踏段の溝３Ｂに噛みあうくし板４を備えたエスカレーター１において、前記床板２Ａに設けられた平坦部２Ｂと前記くし板４の根元部４Ａとの間で上下方向に挟まれる薄鋼板製の基板６Ａと、前記床板２Ａの先端部の空間Ｚに位置し、前記基板６Ａと一体的に構成された合成樹脂製の基材６Ｃに植立された状態で踏段３側に延設された難燃材料製のブラシ体６Ｂからなる清掃装置６を設けた。【選択図】図３
2019172469.tif 000002
【特許請求の範囲】
【請求項１】
往路から復路にかけて移動する踏段と、この踏段への乗降口を構成する床板と、この床板の先端部に固定されて前記踏段表面の溝に噛みあうくし板を備えたエスカレーターにおいて、前記床板に設けられた平坦部と前記くし板の根元部との間で上下方向に挟まれる薄鋼板製の基板と、前記床板の先端部の空間に位置し、前記基板と一体的に構成された合成樹脂製の基材に植立された状態で踏段側に延設された難燃材料製のブラシ体からなる装置を設けたことを特徴とするエスカレーター用踏段清掃装置。
【発明の詳細な説明】
【技術分野】
【０００１】  本発明は、エスカレーター等の踏段清掃装置に係り、特に、踏段上面の溝内を自動清掃するに好適なエスカレーター用踏段清掃装置に関する。
【背景技術】
【０００２】  エスカレーター用踏段清掃装置としては、下記特許文献１に記載のように、すでに提案されている。
【先行技術文献】
【特許文献】
【０００３】
【特許文献１】特開２０１２−２２９１２２号公報
【発明の概要】
【発明が解決しようとする課題】
【０００４】  上記特許文献１に記載のものは、清掃装置を構成するに好適な材料の特定がなく、実用面での問題を有していた。例えば、同公知例の基板部８ａはその材料自体に後述するバネ性があれば好都合なのに、単に「薄板（板厚ｔ）」だけの記述である。また、ブラシ８Ｂ等を植立する基材部分の植立加工においては、穴あけ加工の容易性や接着剤の汎用性から「合成樹脂材」が適しているのに材質の特定がない。さらに、同公知例のブラシ８Ｂ等は、乗客がもたらす火種（煙草等）によって発煙しないように「不燃性の材料（少なくも難燃材）」が好都合なのに、材質の特定がない。【０００５】  そのため、公知例に開示された基板部８ａのバネ性に関しては、ブラシ８Ｂ等に対する外力的負荷が増すこと、ブラシ８Ｂが発煙の元になること、また基材部分が合成樹脂材以外（例えば金属）であればその植立加工にかなりの手間（加工費）がかかるなど、それぞれ材料に関わる問題があった。【０００６】  このため、本発明では、各構成品の材料（材質）を特定し、高性能なエスカレーター用踏段清掃装置を提供することを目的とする。
【課題を解決するための手段】
【０００７】  上記目的を達成するために、本発明は、往路から復路にかけて移動する踏段と、この踏段への乗降口を構成する床板と、この床板の先端部に固定されて前記踏段表面の溝に噛みあうくし板を備えたエスカレーターにおいて、前記床板の平坦部と前記くし板の根元部との間に上下方向に挟まれる薄鋼板製の基板と、前記床板の先端部の空間に位置し、前記基板と一体的に構成された合成樹脂製の基材に植立された状態で踏段側に延設された難燃材料製のブラシ体からなる装置を設けたことを特徴とするエスカレーター用踏段清掃装置としたのである。
【発明の効果】
【０００８】  上記の構成によれば、前記基板を薄い（その効果：床板とくし板の取り合い関係に悪影響を及ぼさない＝本清掃装置の追加によるくし板の形状変更が不要）鋼板製（その効果：ブラシ体に作用する踏段との摺動抵抗を、鋼板が材質的に具備するバネ作用によって緩和する）としたメリットを奏する。前記基材を塩化ビニール等の合成樹脂製としたことでブラシ体植立のための穴あけ加工の容易性、接着剤の汎用性の面でメリットを奏する。また、ブラシ体を難燃材料製としたことで乗客がもたらす火種（煙草等）によって発煙しないメリットを奏する。【０００９】  このように、本発明になる構成の清掃装置は真に高性能なエスカレーター用踏段清掃装置を提供することができる。
【図面の簡単な説明】
【００１０】
【図１】本発明のエスカレーター用清掃装置を備えた乗降口付近の斜視図。
【図２】図１のＩ−Ｉ線に沿う断面図。
【図３】図２に配置した清掃装置の単体斜視図。
【発明を実施するための形態】
【００１１】  以下、本発明の一実施形態を図１〜図３に基づいて説明する。
【００１２】  乗降口付近を斜視的に示した図１において、エスカレーター１は、往路から復路にかけて移動しその表面部３Ａに多数形成された溝３Ｂを有する踏段３と、この踏段３への乗降床となる床板２Ａと、この床板２Ａの先端部分２Ｃに機械加工によって設けられた平坦部２Ｂに固定されるくし板４等を主要装置として乗降口２を構成している。そして、くし板４は、図１と図２に示すように床板２Ａの平坦部２Ｂにビス５で固定される根元部４Ａと、これに連なる多数の凹凸状の歯先部４Ｂを有し、これが横幅１００ｍｍ程度に分割された形で床板２Ａおよび踏段３の横幅いっぱいに複数個分割された状態で配設されている。さらに、平坦部２Ｂと根元部４Ａ部分には、その上下方向の間に挟まれる形で本発明の清掃装置６を構成する板厚１ｍｍ程度の薄鋼板製の基板６Ａが設けられ、また、先端部分２Ｃとくし板４の裏側の歯先部４Ｂの後端部の空間Ｚ（幅ｋ）において踏段３側に出張る形で本発明の清掃装置６を構成し、かつ踏段３の溝３Ｂ内に当接されて清掃を行う難燃材料製のブラシ体６Ｂと、このブラシ体６Ｂを植立する台座となり、かつ基板６Ａに接着剤等で接合、一体化された合成樹脂製の基材６Ｃが、くし板４の脱着とともに脱着できるように穴６Ｄを貫通するビス５によって装着されている。このように、本発明の清掃装置６は、薄鋼板製の基板６Ａ、難燃材料製のブラシ体６Ｂ及び合成樹脂製の基材６Ｃの組合せ体となっている。
【００１３】  ここで、本発明の基板６Ａを薄鋼板製とした理由には次の二つがある。その一つは、薄材にすることにより床板２Ａとくし板４の取り合い関係に悪影響を及ぼさない（清掃装置６の追加によるくし板４の形状変更を不要とする）ことである。あと一つは、図２の矢印Ｍのように移動する踏段３の溝３Ｂと歯先部４Ｂの間に侵入した小石等の異物Ｑがブラシ体６Ｂを下向きに強く引張るような摺動抵抗力である外力を受けた場合に、基板６Ａが、それが有する（鋼板の）バネ作用によって下向きにＸ（図３）だけ弾性変形（変形始点は、先端部分２Ｃの位置の折れ線６ａとなる）して変形線Ｙを形成（図２）し、基板６Ａ、ブラシ体６Ｂへの外力を緩和してそれらの破損を防止する仕組みになっている。なお、この変形量（Ｘ）と変形線（Ｙ）は、上記の異物Ｑの侵入に限らず、踏段３の予期せぬ浮き上がりやブラシ体６Ｂの異常によって発生する外力に対しても同様に弾性変形してその破損を防止するものである。
【００１４】  また、ブラシ体６Ｂを難燃材料製としたことで乗客がもたらす火種（煙草等）によって発煙しないメリットを有し、かつ基材６Ｃを塩化ビニール等の合成樹脂製としたことでブラシ体６Ｂを植立するための穴あけ加工の容易性やブラシ体６Ｂと基材６Ｃを接合するための接着剤（図示省略）の汎用性の面でメリットを有する。
【００１５】  以上説明したように、本発明の清掃装置６によれば耐外力、発煙及び加工性に優れた高性能なエスカレーター用踏段清掃装置を提供できる。
【産業上の利用可能性】
【００１６】  なお、上記の実施形態は、一般のエスカレーター構造を例に説明したが、隣接踏段同士に段差を有しない動く歩道と称するエスカレーターにもそのまま応用できる。
【符号の説明】
【００１７】  １  エスカレーター
２  乗降口
２Ａ  床板
２Ｂ  平坦部
２Ｃ  先端部分
３  踏段
３Ａ  表面部
３Ｂ  溝
４  くし板
４Ａ  根元部
６  清掃装置
６Ａ  基板
６Ｂ  ブラシ体
６Ｃ  基材
【図１】
2019172469.tif 000003
【図２】
2019172469.tif 000004
【図３】
2019172469.tif 000005